(57)【要約】【課題】ストレッチャに設けた昇降自在の身体保持部５３に被洗浄者Ｃが横になった状態で洗髪を行うと、水跳ね防止板５６が身体保持部５３に固定されていると、昇降機構部５２から被洗浄者Ｃの頭部が遠くなり、昇降機構部５２の手前に立って洗髪作業を行う洗浄者が無理な姿勢をしなければならない。【解決手段】水跳ね防止板５６を昇降機構部５２の上面に取り付けるようにした。【選択図】　図４
2004041590.tif 000002
【特許請求の範囲】
【請求項１】
可動ベースの手前部に立設された昇降機構部の後面側に、長手方向の一端側で水平状態に片持ち支持され、昇降機構部によって水平状態のまま昇降する身体保持部に、一端側に頭部が位置するように被洗浄者が寝た状態で、頭部の下方に流れ落ちる湯水を受け、一方向へ湯水を導く水受け板を備えると共に、頭部の側方から囲い頭部から側方への水跳ねを遮蔽して跳ねた水を上記水受け板へ導く水跳ね防止板とを備えたシャワー入浴用ストレッチャにおいて、上記水跳ね防止板を昇降機構部の上面に被さるように、昇降機構部に保持させたことを特徴とするシャワー入浴用ストレッチャ。
【請求項２】
上記水跳ね防止板を、昇降機構部の上方に待避し得るように保持させたことを特徴とする請求項１記載のシャワー入浴用ストレッチャ。
【請求項３】
上記昇降機構部は、昇降機構部に内蔵されたバッテリーを駆動源とし、このバッテリーを昇降機構部の左右いずれかに偏位させて内蔵させたことを特徴とする請求項１または請求項２に記載のシャワー入浴用ストレッチャ。
【請求項４】
略水平に保持された身体保持部に被洗浄者が横たわった状態で、被洗浄者の頭部に対して少なくとも左右方向に対峙し、左右方向への水跳ねを防止する水跳ね防止板を備え、この水跳ね防止板を、被洗浄者の頭部を左右から挟む水跳ね防止位置と、頭部の左右に対峙しない退避位置とに移動自在に設けたことを特徴とするシャワー入浴用ストレッチャ。
【発明の詳細な説明】
【０００１】
【発明の属する技術分野】
本発明は、シャワー入浴装置に被洗浄者を寝たままの状態で移動させシャワー入浴させるためのシャワー入浴用ストレッチャに関する。
【０００２】
【従来の技術】
図６に示すように、シャワー入浴装置にシャワー入浴する際に使用される従来のこの種のシャワー入浴用ストレッチャＳは、下部にローラを備えた可動式のベースＳ２を備えており、このベースの手前部分に昇降機構部Ｓ１が立設されている。そして、この昇降機構部Ｓ１の後面側には身体保持部Ｓ３が昇降自在に保持されている。この身体保持部Ｓ３は長方形状であり、長手方向の一端側で片持ち状に保持されている。
【０００３】
そして、この身体保持部Ｓ３に被洗浄者Ｃが横たわると、頭部の下方に位置するように水受け板Ｓ４が身体保持部Ｓ３に取り付けられている。また、頭部を囲うように、馬蹄形の水跳ね防止板Ｓ５が同じく身体保持部Ｓ３に固定されている。
【０００４】
図外のハンドシャワーを用いて被洗浄者Ｃの洗髪を行う場合には、図示しない洗浄者が昇降機構部Ｓ１の手前側に立ち、昇降機構部Ｓ１の上方を越えて洗髪を行う。
【０００５】
洗髪中に頭部から落ちる湯水は水受け板Ｓ４に受けられる。そして受けられた湯水は水受け板Ｓ４によって後方、すなわち図において右側に流れる。図示しないが、シャワー入浴装置内に身体保持部Ｓ３ごと被洗浄者Ｃを首まで入れると、水受け板Ｓ４の先端がシャワー入浴装置内に入り、洗髪時の湯水は水受け板Ｓ４からシャワー入浴装置内へと排水される。
【０００６】
また、洗髪時には湯水が横方向に跳ねるが、その跳ねた湯水は水跳ね防止板Ｓ５に衝突し、水受け板Ｓ４に集められる。
【０００７】
【発明が解決しようとする課題】
上記従来のストレッチャでは、水跳ね防止板Ｓ５が身体保持部Ｓ３に固定されているため、水跳ね防止板Ｓ５を取り付けるスペース分、被洗浄者Ｃの頭部が昇降機構部Ｓ１から離れる。そのため、昇降機構部Ｓ１の手前側に立った洗浄者と被洗浄者Ｃの頭部との距離が離れ、洗浄者が洗髪作業を行う際に無理な姿勢を取らなければならないという不具合が生じる。
【０００８】
なお、図８に示した他の従来のストレッチャでは、身体保持部Ｓ３の下方に昇降機構部Ｓ１を収納しているので、洗浄者と被洗浄者Ｃの頭部との距離を縮めることはできるものの、身体保持部Ｓ３の下方に昇降機構部Ｓ１を配置しているので、昇降ストロークが２４０ｍｍ程度しか確保することができず、身体保持部Ｓ３を低い位置まで下降させることができない。身体保持部Ｓ３が低い位置まで下降させることができないと、被洗浄者を例えば車椅子から身体保持部Ｓ３に移載するさいに、移載しづらいという不具合が生じる。
【０００９】
そこで本発明は、上記の問題点に鑑み、十分な昇降ストロークを確保しつつ、ストレッチャに寝た状態の被洗浄者の洗髪を無理な姿勢で行わなくてよいシャワー入浴用ストレッチャを提供することを課題とする。
【００１０】
【課題を解決するための手段】
上記課題を解決するために本発明によるシャワー入浴用ストレッチャは、可動ベースの手前部に立設された昇降機構部の後面側に、長手方向の一端側で水平状態に片持ち支持され、昇降機構部によって水平状態のまま昇降する身体保持部に、一端側に頭部が位置するように被洗浄者が寝た状態で、頭部の下方に流れ落ちる湯水を受け、一方向へ湯水を導く水受け板を備えると共に、頭部の側方から囲い頭部から側方への水跳ねを遮蔽して跳ねた水を上記水受け板へ導く水跳ね防止板とを備えたシャワー入浴用ストレッチャにおいて、上記水跳ね防止板を昇降機構部の上面に被さるように、昇降機構部に保持させたことを特徴とする。
【００１１】
水跳ね防止板を昇降機構部の上面に被さるように設けると、水跳ね防止板を昇降機構部の前面に近づけることができる。その結果、被洗浄者の頭部と昇降機構部との距離が縮まり、洗浄者が洗髪時にかがむなどの無理な姿勢をしなくてよくなる。なお、水跳ね防止板は昇降する身体保持部ではなく昇降機構部に保持させたので、身体保持部の昇降時に水跳ね防止板が昇降機構部に干渉することがない。
【００１２】
上記水跳ね防止板を、昇降機構部の上方に待避し得るように保持すれば、身体保持部を下端位置に下げて被洗浄者を身体保持部に乗り降りさせる際に、水跳ね防止板が邪魔にならない。
【００１３】
なお、上記昇降機構部は、昇降機構部に内蔵されたバッテリーを駆動源とし、このバッテリーを昇降機構部の左右いずれかに偏位させて内蔵させれば、昇降機構部の中心部分の厚みを薄くすることができ、更に洗浄者が被洗浄者の頭部に近づくことができる。
【００１４】
また、本発明による他のシャワー入浴用ストレッチャは、略水平に保持された身体保持部に被洗浄者が横たわった状態で、被洗浄者の頭部に対して少なくとも左右方向に対峙し、左右方向への水跳ねを防止する水跳ね防止板を備え、この水跳ね防止板を、被洗浄者の頭部を左右から挟む水跳ね防止位置と、頭部の左右に対峙しない退避位置とに移動自在に設けたことを特徴とする。
【００１５】
これにより、ストレッチャに上り下りする際に、水跳ね防止板が被洗浄者の頭部の移動の邪魔にならない。
【００１６】
【発明の実施の形態】
図１および図２を参照して、１は本発明によるストレッチャが使用されるシャワー入浴装置である。このシャワー入浴装置１は前方に開口２０を備えたシャワー室２と、このシャワー室２を床面から所定の高さに保持する３本の脚部３１，３２，３３とを備えている。
【００１７】
この開口２０は、ストレッチャ５の身体保持部に被洗浄者Ｃが寝た状態でシャワー室２に出入りするためのものである。シャワー室２の左右には大きな介護窓２３が形成されており、被洗浄者Ｃがシャワー室２内に入ると、洗浄者Ｎはこの介護窓２３から上半身をシャワー室２内に入れて被洗浄者Ｃの身体を洗うことができる。なお、シャワー室２内にはノズルが多数設けられており、これらノズルから温水を噴射して被洗浄者Ｃの身体を洗浄する際は、開口２０および介護窓２３は各カーテン２２，２４で閉められ、水しぶきがシャワー室２から外へ出ないようにすると共に、被洗浄者Ｃの身体を外部から隠すように構成されている。
【００１８】
なお、洗浄者Ｎが被洗浄者Ｃの身体を洗う際にはシャワーヘッド４を用いることができる。このシャワーヘッド４はシャワー室２の左右に各々取り付けられており、上記ノズルに供給される温水とは別系統で温度管理される温水が供給されるように構成されている。
【００１９】
図３および図４を参照して、ストレッチャ５には下部に搬送用ローラを備えた可動式のベース５１を備えており、そのベース５１の前端部分には昇降機構部５２が立設されており。この昇降機構部５２内には上下方向に長手のボールねじが内蔵されており、そのボールねじを回転駆動するギヤトレインおよび電動モータが内蔵されている。その電動モータの駆動源となるバッテリーはバッテリー格納部５２ａに格納されている。バッテリー格納部５２ａは図示のように、昇降機構部５２の中心線に対して左側に偏位して設けられており、バッテリー格納部５２ａが中心部分にないため、昇降機構部５２の中心部分の厚みを薄くすることができる。
【００２０】
身体保持部５３は昇降機構部５２によって昇降されるものであり、メッシュ素材が張設されている。そして、被洗浄者Ｃの頭部を保持するヘッドレスト５４の下方に位置するように水受け板５５が身体保持部５３に固定されている。
【００２１】
また、５６は水跳ね防止板であり、昇降機構部５２の上面に揺動自在に取り付けられている。この水跳ね防止板５６は昇降機構部５２の上方に位置する退避位置と、身体保持部５３が上昇した位置で被洗浄者Ｃの頭部を囲う作動位置との間で揺動することができる。
【００２２】
なお、ベース５１の後端に取り付けられた１対のローラ５１ａは、ベース５１を脚部３１，３２の間に挿入する際に、両脚部３１，３２にベース５１の角部が衝突することを防止すると共に、ベース５１を両脚部３１，３２の間にスムーズに導くためのものである。また、ベース５１を後方の脚部３３に当接するまで押し込むと、これらローラ５１ａが脚部３３を左右から挟んでストレッチャ５の左右方向の位置決めがされるようにした。
【００２３】
ところで、身体保持部５３の左右には先端に把持部５７ｂが横方向に揺動自在に取り付けられた補助バー５７が、軸受け部５７ａによって上下方向に揺動自在に取り付けられている。被洗浄者Ｃが体勢を変化させたり起きあがる際に、補助バー５７を起こして把持部５７ｂを握る。また、補助バー５７を使用しない場合には身体保持部５３に沿うように下にさげておく。
【００２４】
上記実施の形態では、昇降ストロークを４００ｍｍ確保することができ、かつ、床面から３９５ｍｍの高さまで身体保持部を下降させることができ、そのため、被洗浄者の身体保持部への乗り降りが容易になった。また、床面から７９５ｍｍの高さまで身体保持部を上昇させることができるので、洗浄者は無理な姿勢を取ることなく楽な姿勢で洗髪作業等を行うことができる。
【００２５】
上記従来の実施の形態のほかに、図６（ａ）に示すように水跳ね防止板５６の中央部５６ａに対して側部５６ｂ，５６ｂを下方に揺動自在に蝶設しておき、被洗浄者の身体保持部への乗り降り時に側部５６ｂを下方に退避させれば、水跳ね防止板５６が乗り降り時の邪魔にならない。なお、このように側部５６ｂが下方に大意比できるように構成する場合には、水跳ね防止板５６を身体保持部５３に取り付けてもよい。
【００２６】
また、同図（ｂ）に示すように、水跳ね防止板５６’を身体保持部５３に設けたガイド溝５３ａに沿ってスライド自在の保持し、被洗浄者が身体保持部５３に乗り降りする際に、２点鎖線で示した退避位置に退避させるようにしてもよい。あるいは図示しないが、水跳ね防止板を身体保持部５３から取り外すことができるように構成し、被洗浄者が身体保持部５３に乗り降りする際に水跳ね防止板を身体保持部から取り外してもよい。
【００２７】
【発明の効果】
以上の説明から明らかなように、本発明は、水跳ね防止板が昇降機構部の上面に被さるように取り付けられているので、被洗浄者Ｃの頭部を昇降機構部５２に近づけることができ、無理な姿勢をすることなく洗髪作業を容易に行うことができる。なお、水跳ね防止板が昇降機構部に固定されているので、身体保持部を昇降させる際に水跳ね防止部が昇降機構部等に干渉しない。また、身体保持部を下げて被洗浄者を身体保持部に乗り降りさせる際に、水跳ね防止板がないので、水跳ね防止板を越えるように被洗浄者の頭部を持ち上げる必要が無く、また、水跳ね防止板を昇降機構部の上方に待避させれば、被洗浄者の身体保持部への乗り降り時に水跳ね防止板が邪魔にならない。
【図面の簡単な説明】
【図１】本発明が適用されるシャワー入浴装置の構成を示す図
【図２】ストレッチャを使用している状態を示す図
【図３】ストレッチャの構造を示す斜視図
【図４】身体保持部の昇降時の状態を示す図
【図５】補助バーの詳細を示す図
【図６】水跳ね防止板の他の形態を示す図
【図７】従来のストレッチャの構造を示す図
【図８】他の従来のストレッチャの構造を示す図
【符号の説明】
１　シャワー装置
２　シャワー室
４　ハンドシャワー
５　ストレッチャ
５２　昇降機構部
５３　身体保持部
５５　水受け板
５６　水跳ね防止板
５７　補助バー
【図１】
2004041590.tif 000003
【図２】
2004041590.tif 000004
【図３】
2004041590.tif 000005
【図４】
2004041590.tif 000006
【図５】
2004041590.tif 000007
【図６】
2004041590.tif 000008
【図７】
2004041590.tif 000009
【図８】
2004041590.tif 000010